(57)【要約】【課題】  簡単な操作で強度充分な仮設ないし設置を行えるポールの基礎構造あるいは設置方法を提供する。【解決手段】  ポール１の基端から縦穴の深さ弱だけ離れた上方のみに、外方へ突出する横架部材４を、ポール１と一体に設け、横架部材４に、縦穴壁面へ押し付け力を付与可能なボルト８（ないしネジ孔６）を、縦穴内でポールを支持可能である位置において少なくとも３個設ける。また、上記基礎構造を有するポール１を、縦穴を形成した後でボルト８を縦穴に押し付けることで設置する。【選択図】  図３
2007063781.tif 000002
【特許請求の範囲】
【請求項１】
地表から掘削した縦穴に入れられるポールの基礎構造であって、
ポールの基端から縦穴の深さ弱だけ離れた上方のみに、外方へ突出する横架部材を、ポールと一体に設け、
横架部材に、縦穴壁面へ押し付け力を付与可能な押し付け部材を、縦穴内でポールを支持可能である位置において少なくとも３個設けた
ことを特徴とするポールの基礎構造。
【請求項２】
縦穴の地表付近に穴拡大部を設け、
押し付け部材を、穴拡大部の底に対して下方に押し付け力を付与するものとし、
更に、押し付け部材と穴拡大部との間に、座板を介装した
ことを特徴とする請求項１に記載のポールの基礎構造。
【請求項３】
押し付け部材を、偏心回転する板を含み、板を外方へ突出する方向に回転させることで縦穴壁面を横から押し付けるものとした
ことを特徴とする請求項１に記載のポールの基礎構造。
【請求項４】
縦穴を、地表付近まで達する土留めパイプにより形成するとともに、土留めパイプの地表側端部に、横架部材が通過する切り込みを形成し、
押し付け部材を、土留めパイプの切り込み周辺の外壁に対して外方から押し付け力を付与するものとした
ことを特徴とする請求項１に記載のポールの基礎構造。
【請求項５】
縦穴を、地表付近まで達する土留めパイプにより形成するとともに、横架部材に、土留めパイプの地表側端部が通過する切り込みを形成し、
押し付け部材を、土留めパイプの外壁に対して外方から押し付け力を付与するものとした
ことを特徴とする請求項１に記載のポールの基礎構造。
【請求項６】
請求項１ないし請求項５のいずれかに記載の基礎構造を有するポールを、縦穴を形成した後で押し付け部材を縦穴に押し付けることで設置する
ことを特徴とするポールの設置方法。
【発明の詳細な説明】
【技術分野】
【０００１】
本発明は、看板等を支えるため店舗付近等において立てられるポールの基礎構造および設置方法に関する。
【背景技術】
【０００２】
従来のポールの基礎構造として、次に示す特許文献１に記載されたものが知られている。このものにおいては、ポールの取付角度や高さの調整をするため、ポールの基端部に、拡径自在なポール保持部を設けている。
【０００３】
【特許文献１】特開２００４−２７９７２２号公報
【発明の開示】
【発明が解決しようとする課題】
【０００４】
しかし、このような従来のポールの基礎構造では、ポールの基端部における拡径を操作するために、基端部から地表にわたる連結部材を設けなければならず、構造が複雑になるし、ポールの傾きの調整がしづらいものとなる。
【０００５】
そこで、請求項１に記載の発明は、角度調整等の操作が極めて簡易でありながら、強度充分に仮設ないしは設置を行えるポールの基礎構造を提供することを目的としたものである。
【０００６】
また、請求項６に記載の発明は、一度現場へ出向くだけで簡単に行えるポールの設置方法を提供することを目的としたものである。
【課題を解決するための手段】
【０００７】
上記目的を達成するために、請求項１に記載の発明は、地表から掘削した縦穴に入れられるポールの基礎構造であって、ポールの基端から縦穴の深さ弱だけ離れた上方のみに、外方へ突出する横架部材を、ポールと一体に設け、横架部材に、縦穴壁面へ押し付け力を付与可能な押し付け部材を、縦穴内でポールを支持可能である位置において少なくとも３個設けたことを特徴とするものである。
【０００８】
請求項２に記載の発明は、上記目的に加えて、更に強固かつ簡単に設置可能とする目的を達成するため、縦穴の地表付近に穴拡大部を設け、押し付け部材を、穴拡大部の底に対して下方に押し付け力を付与するものとし、更に、押し付け部材と穴拡大部との間に、座板を介装したことを特徴とするものである。
【０００９】
請求項３に記載の発明は、上記目的に加えて、更に簡素な構成とする目的を達成するため、押し付け部材を、偏心回転する板を含み、板を外方へ突出する方向に回転させることで縦穴壁面を横から押し付けるものとしたことを特徴とするものである。
【００１０】
請求項４に記載の発明は、上記目的に加えて、より一層簡単に設置可能とする目的を達成するため、縦穴を、地表付近まで達する土留めパイプにより形成するとともに、土留めパイプの地表側端部に、横架部材が通過する切り込みを形成し、押し付け部材を、土留めパイプの切り込み周辺の外壁に対して外方から押し付け力を付与するものとしたことを特徴とするものである。
【００１１】
請求項５に記載の発明は、上記目的に加えて、更に簡素な構成とする目的を達成するため、縦穴を、地表付近まで達する土留めパイプにより形成するとともに、横架部材に、土留めパイプの地表側端部が通過する切り込みを形成し、押し付け部材を、土留めパイプの外壁に対して外方から押し付け力を付与するものとしたことを特徴とするものである。
【００１２】
上記目的を達成するために、請求項６に記載の発明は、上記の基礎構造を有するポールを、縦穴を形成した後で押し付け部材を縦穴に押し付けることで設置することを特徴とするものである。
【発明の効果】
【００１３】
本発明によれば、簡単な操作で強度充分な仮設ないし設置を行えるポールの基礎構造あるいは設置方法を提供することができる、という効果を奏する。
【発明を実施するための最良の形態】
【００１４】
以下、本発明の実施形態に係るポールの基礎構造ないしは設置方法について、適宜図面に基づいて説明する。
【００１５】
［第１実施形態］
図１は、第１実施形態に係るポールの基礎構造の要部中央縦断面図であり、図２は、図１におけるＡ−Ａ線断面図である。例えば店舗看板用で長さ６メートル以上の四角柱状のポール１を設置する位置には、地表Ｌから少し沈む状態で、土留めパイプ２が入れられている。なお、土留めパイプ２の長さは、地表Ｌからの高さ約６メートルのポールにおいては、例えば約２メートル程である。また、土留めパイプ２の上端から地表Ｌまでは、土留めパイプ２より少し広い穴（穴拡大部Ｇ）となっている。更に、土留めパイプ２と穴拡大部Ｇとが、縦穴を構成する。
【００１６】
また、ポール１の基端（下端）側であって、基端から縦穴の深さ弱（ここでは土留めパイプ２の長さ強）だけ離れた位置には、３本以上（ここでは８本）の横架部材４が固定されている。加えて、各横架部材４の先端部には、孔の周りにナットをほぼ水平に固定することで形成されたネジ孔６が設けられており、更に各ネジ孔６に入る上下方向に沿ったボルト８が設けられている。横架部材４においては、ネジ孔６ないしボルト８が、少なくとも同一直線上にない３点を含むように構成されている。また、横架部材４ないしボルト８は、基端から縦穴の深さ弱だけ上方の位置以外には、設置されていない。なお、ネジ孔６ないしボルト８により押し付け部材が構成され、縦穴の深さ弱とは、縦穴の深さから、押し付け部材の長さ（押し付け部材の横架部材からの上方突出寸法）を差し引いた程度の長さをいう。
【００１７】
一方、土留めパイプ２の上側であって、各ボルト８の下端に対向する位置には、座板１０が置かれている。座板１０は、ここでは、１組２本のボルト８毎に合計４個配置されている。個々の座板１０は、長さが１組のボルト８の間隔強ほどであって、ほぼ直交する２面を有し、このうち一方の面において土留めパイプ２上端ないしはその外側の土（穴拡大部Ｇの底）に接し、他方の面において穴拡大部Ｇ側面の土に接する。各ボルト８は、座板１０を介して、縦穴壁面を押し付けている。
【００１８】
このような基礎構造を有するポール１は、例えば次に示す方法で設置される。即ち、まず図３（ａ）に示すように、掘削重機等により設置箇所に穴Ｈを掘る。穴Ｈの深さは、ポール１の下端からボルト８上端までの長さ強である。
【００１９】
次に、図３（ｂ）に示すように、穴拡大部Ｇを形成するとともに、栗石Ｓを底に敷く。続いて、図３（ｃ）に示すように、土留めパイプ２を穴Ｈに入れ、穴拡大部Ｇとともに縦穴を形成するようにし、図３（ｄ）に示すように、土留めパイプ２上側の穴拡大部Ｇに、座板１０を置く。
【００２０】
そして、図３（ｅ）に示すように、全ボルト８の下端をほぼ水平になるように揃えた状態で、横架部材４の付いたポール１を縦穴に入れ、ポール１の下端が栗石Ｓに接するとともに、ボルト８の下端が座板１０を押すように据える。ここで、適宜ボルト８の押し付け力を増すために、ボルト８を回す。ボルト８が座板１０を押すことで縦穴壁面にも押し付け力を及ぼし、全ボルト８が縦穴壁面を押すことで、この時点での仮の立設においても強度充分にポール１を立たせることができる。また、ポール１の立設角度を調整したい場合には、若干寝かせたい方向にあるボルト８を回して、当該ボルト８による座板１０を介した縦穴壁面に対する押し付けを強くしたり、これと逆側にあるボルト８を回して、縦穴壁面に対する押し付けを弱くしたりする。
【００２１】
このようにして、ポール１が適宜の角度にて仮設されると、図３（ｆ）にあるように、土留めパイプ２や穴拡大部ＧにコンクリートＫを流し込み、横架部材４ないしはボルト８ごと固化させて、ポール１の設置を完了する。
【００２２】
第１実施形態に係るポール１の基礎構造では、ポール１の基端から縦穴の深さ弱だけ離れた上方のみに、外方へ突出する横架部材４を、ポール１と一体に設け、横架部材４に、縦穴壁面へ押し付け力を付与可能なボルト８（ないしネジ孔６）を、縦穴内でポールを支持可能である位置において少なくとも３個設けたので、コンクリートＫが固化する前の仮設状態においても、全ボルト８の縦穴壁面に対する押し付けによって、ポールを強度充分に支持することができるし、その押し付け力の付与も、地表付近（縦穴の開口付近）にあるボルト８に対する操作にて、極めて簡単に実行することができる。更には、適宜のボルト８に係る押し付け力の変更により、仮説状態でのポールの角度調整ができるし、この操作も上記の通り簡単に行えるものである。そして、このように簡単な操作によって強固にポール１を仮設できる上、基礎構造ごと固化可能であるため、コンクリートＫの流し込みも直ちに行えるし、固化するまでにポール１が傾くこともなく、また固化後に型枠を外す等といった特別の工程も必要なく、従ってポール１の立設工程全体を、充分な強度を付与可能ながら、極めて手間のかからないものとすることができる。
【００２３】
加えて、縦穴の地表Ｌ付近に穴拡大部Ｇを設け、ボルト８を、穴拡大部Ｇの底に対して下方に押し付け力を付与するものとし、更に、ボルト８と穴拡大部Ｇとの間に、座板１０を介装したので、ボルト８の沈み込みを防止して強固にポール１を支持することができるし、ボルト８も地表Ｌ付近のみで下方向へ動かすだけで良く、操作性も一層良好になる。
【００２４】
また、上記基礎構造を有するポール１を、縦穴を形成した後でボルト８を縦穴に押し付けることで設置するため、コンクリートの固化まで強度充分に支持する基礎構造により、一度現場へ出向くだけでコンクリートの流し込みまで終えられる簡単なポールの設置方法を構成することができる。
【００２５】
［第２実施形態］
図４は、第２実施形態に係るポールの基礎構造の要部中央縦断面図であり、図５は、図４におけるＢ−Ｂ線断面図である。第２実施形態に係るポール２１は、第１実施形態に係るポール１とほぼ同様の基礎構造を有しており、すなわちネジ孔２６ないしボルト２８を有する横架部材２４が、基端から縦穴の深さ弱だけ上方のみにおいて固定されている一方、縦穴の穴拡大部Ｇ２の底であってボルト２８の対向側に、座板３０が置かれている。ただし、第２実施形態に係るポール２１にあっては、横架部材２４の本数が４本であり、１個のボルト２８につき１個の座板３０が配置されており、また地表Ｌ２からの縦穴に土留めパイプが入れられていない。なお、ポール２１の設置方法も、ポール１と同様である。
【００２６】
このような第２実施形態に係るポール２１においても、第１実施形態のポール１と同様に、角度調整可能で安定した仮設を極めて簡単に行える。なお、第２実施形態に係るポール２１の基礎構造は、例えば地表からの高さ６メートル以下のものに好適に用いられる。
【００２７】
［第３実施形態］
図６は、第３実施形態に係るポールの基礎構造の要部中央縦断面図であり、図７は、図６におけるＣ−Ｃ線断面図である。第３実施形態に係るポール４１の基礎は、地表Ｌ３まで達した土留めパイプ４２による穴拡大部のない縦穴に入れられる。ポール４１は、基端から縦穴の深さ弱（土留めパイプ４２の長さ弱）だけ上方の部位に、横架部材４４を４本備えている。各横架部材４４の先端縁には、切り込みとその上のナットから成るネジ孔４６が設けられ、各ネジ孔４６には、押し付け部材としての円板付きボルト４８が入れられている。円板付きボルト４８は、ボルトの下端に円板を偏心して固定したもので、全円板付きボルト４８の円板において、縦穴壁面（土留めパイプ４２内面）に横から当接可能となっており、ここでは対向する円板の双方とも最も外方に出た状態での円板外方間距離が、縦穴（土留めパイプ４２）の直径強となっている。なお、全円板付きボルト４８は、同一直線上にない。また、ポール４１の設置方法は、穴拡大部や座板を設けないこと等を除き、ほぼポール１のものと同様である。
【００２８】
第３実施形態に係るポール４１では、偏心回転する円板を含み、円板を外方へ突出する方向に回転させることで縦穴壁面を横から押し付ける円板付きボルト４８を設けたので、地表Ｌ３近くに位置する円板付きボルト４８を回すことにより、縦穴壁面を横から押し付けてポール４１を支えることができ、よって仮の立設を強固に手早く実行することができ、ひいてはポールの設置を簡単確実に完了することができる。
【００２９】
［第４実施形態］
図８は、第４実施形態に係るポールの基礎構造の要部中央縦断面図であり、図９は、図８におけるＤ−Ｄ線断面図であり、図１０は、図９におけるＥ−Ｅ線断面図である。第４実施形態に係るポール６１の基礎は、地表Ｌ４まで達した土留めパイプ６２による穴拡大部のない縦穴に入れられる。土留めパイプ６２の地表Ｌ４側の壁面においては、長手方向（上下方向）に沿う切り込み６３が４本形成されている。なお、各切り込み６３の周囲が少し掘り下げられていて、縦穴（土留めパイプ６２）の外壁が露出している。
【００３０】
一方、ポール６１は、基端から縦穴の深さ弱離れた部位において、横架部材６４を一体的に有している。横架部材６４は、切り込み６３と対応して４本設けられており、ポール６１外面から切り込み６３までの距離強の長さを有していて、切り込み６３を通過するようになっている。また、各横架部材６４の先端は、ほぼ縦穴外壁に沿う面を有するように折り曲げられており、この面に、縦穴外壁へ向かうネジ孔６６と、これに入るボルト６８とが設けられている。
【００３１】
第４実施形態に係るポール６１の設置方法は、第１実施形態に係るものとほぼ同様であるが、主に次の点で異なる。すなわち、穴拡大部や座板は設けない。また、土留めパイプ６２を入れる際には、切り込み６３の方向を考慮し、入れ終わった後には、切り込み６３の周りの外壁を露出させる。更に、ポール６１を縦穴（土留めパイプ６２）に入れる際には、切り込み６３に横架部材６４が入るようにする。また、切り込み６３周辺の小穴は、埋め戻すかまたはコンクリートを流す。
【００３２】
第４実施形態に係るポール６１では、縦穴を、地表Ｌ４付近まで達する土留めパイプ６２により形成するとともに、土留めパイプ６２の地表側端部に、横架部材６４が通過する切り込み６３を形成し、ボルト６８（ないしネジ孔６６）を、土留めパイプ６２の切り込み６３周辺の外壁に対して外方から押し付け力を付与するものとしたので、地表Ｌ４付近における操作により簡単に強固な仮設を行うことができ、更には土留めパイプ６２さえ適切に入れれば、後はポール６１を、横架部材６４と切り込み６３とが合うように入れていけば良く、更に簡単に仮設ないしは設置をすることができる。
【００３３】
［第５実施形態］
図１１は、第５実施形態に係るポールの基礎構造の要部中央縦断面図であり、図１０は、図１０におけるＦ−Ｆ線断面図である。第５実施形態に係るポール８１の基礎は、第４実施形態のポール６１とほぼ同様に成るが、土留めパイプ８２に切り込みがなく、横架部材８４に切り込み８３を設けた点が異なる、すなわち、各横架部材８４は、先端側に切り込み８３を有し、全切り込み８３は、土留めパイプ８２の壁面が入る配置となっている。なお、各横架部材８４は、先端縁に折り曲げ部を有し、その折り曲げ部に、ネジ孔８６やボルト８８を有することは、ポール６１と同様である。また、土留めパイプ８２は、地表Ｌ５から若干沈められており、土留めパイプ８２の地表側端部が地表Ｌ５より若干下になっている。第５実施形態に係るポール６１の設置方法は、第４実施形態に係るものとほぼ同様である。
【００３４】
第５実施形態に係るポール６１では、縦穴を、地表Ｌ５付近まで達する土留めパイプ８２により形成するとともに、横架部材８４に、土留めパイプ８２の地表側端部が通過する切り込み８３を形成し、ボルト８８を、土留めパイプ８２の外壁に対して外方から押し付け力を付与するものとしたので、簡素な構成ながら、強度充分かつ簡単に仮設ないしは設置を行うことができる。
【００３５】
［その他の実施形態］
なお、主に上記各実施形態を変更してなる本発明の実施形態を例示する。ポールの形状を、円柱状としたり、中の詰まったものとしたりする。横架部材につき、形状を円柱状としたり、本数を増減したり、１本あたり複数の押し付け部材を有するものとしたりする。押し付け部材を、弾性体（バネ、ゴムブロック等）を用いたものとする。第１実施形態、第２実施形態における穴拡大部の代わりに座板が入る小穴を個別に設けるようにしたり、第４実施形態、第５実施形態における切り込み毎の小穴の代わりに共通の穴を設けるようにしたりする。また、座板に、ボルト（押し付け部材）の滑り止めを、突起ないしは窪み等の形で設置する。あるいは、第４実施形態、第５実施形態において、切り込みを土留めパイプと横架部材との双方に（半分ずつ）設ける。
【図面の簡単な説明】
【００３６】
【図１】本発明の第１実施形態に係るポールの基礎構造の要部中央縦断面図である。
【図２】図１におけるＡ−Ａ線断面図である。
【図３】（ａ）〜（ｆ）は図１のポールの設置方法の説明図である。
【図４】本発明の第２実施形態に係るポールの基礎構造の要部中央縦断面図である。
【図５】図４におけるＢ−Ｂ線断面図である。
【図６】本発明の第３実施形態に係るポールの基礎構造の要部中央縦断面図である。
【図７】図６におけるＣ−Ｃ線断面図である。
【図８】本発明の第４実施形態に係るポールの基礎構造の要部中央縦断面図である。
【図９】図８におけるＤ−Ｄ線断面図である。
【図１０】図９におけるＥ−Ｅ線断面図である。
【図１１】本発明の第５実施形態に係るポールの基礎構造の要部中央縦断面図である。
【図１２】図１１におけるＦ−Ｆ線断面図である。
【符号の説明】
【００３７】
１，２１，４１，６１，８１    ポール
４，２４，４４，６４，８４    横架部材
６，２６，４６，６６，８６    ネジ孔（押し付け部材）
８，２８，４８，６８，８８    ボルト（押し付け部材）
【図１】
2007063781.tif 000003
【図２】
2007063781.tif 000004
【図３】
2007063781.tif 000005
【図４】
2007063781.tif 000006
【図５】
2007063781.tif 000007
【図６】
2007063781.tif 000008
【図７】
2007063781.tif 000009
【図８】
2007063781.tif 000010
【図９】
2007063781.tif 000011
【図１０】
2007063781.tif 000012
【図１１】
2007063781.tif 000013
【図１２】
2007063781.tif 000014